(57)【特許請求の範囲】
【請求項１】
カバー取付面部に対してカバーが磁気吸引力により取り付けられるカバー取付構造であって、
前記カバー取付面部が下向きの面部であり、
前記カバーが円盤状に形成されていると共に、前記カバー取付面部に当該円盤状のカバーが軸心周りで回転自在に内嵌する被内嵌部が設けられ、
前記カバーを、前記被内嵌部に内嵌された状態で、前記カバー取付面部の面内方向に沿って回転することで、前記磁気吸引力で前記カバー取付面部に取り付けられる取付用姿勢と、当該取付用姿勢よりも前記磁気吸引力が小さくなる取外用姿勢との間で、姿勢変更可能に構成され、
前記カバーと前記カバー取付面部との内、前記カバー取付面部側に磁石部が設けられていると共に、前記カバー側に前記取付用姿勢で前記磁石部に対向する磁性体部と前記取外用姿勢で前記磁石部と対向する非磁性体部とが設けられ、
前記磁石部は、前記カバー取付面部において前記カバーが当接する表面側とは反対側の裏面側となる上部側に固定され、
前記磁気吸引力が、前記カバー取付面部に添わせたカバーを前記取付用姿勢の近傍から前記取付用姿勢に移動させる強さに設定されているカバー取付構造。
【請求項２】
前記磁石部は、前記カバー取付面部の上部側に設けられたボス部に嵌め込まれて固定されている請求項１に記載のカバー取付構造。
【請求項３】
前記カバーは、円環状のリング部材と、そのリング部材の表面側の開口部を覆う保護用ネットとを備え、
前記保護用ネットは、その外周縁部が前記リング部材の裏面側端部に固定された状態で、前記リング部材の外周面及び表面側全体を覆うように設けられている請求項１又は２に記載のカバー取付構造。
【請求項４】
前記被内嵌部は、その直径が円盤状の前記カバーの直径よりも大きく形成されている請求項１〜３の何れか１項に記載のカバー取付構造。
【請求項５】
天井面に埋め込まれる機器本体と、当該機器本体の下面に形成されたカバー取付面部と、当該カバー取付面部に取り付けられるカバーとを備え、前記カバー取付面部に対して前記カバーが磁気吸引力により取り付けられる天井埋込型機器であって、
前記カバー取付面部への前記カバーの取り付けに、請求項１〜４の何れか１項に記載のカバー取付構造が用いられている天井埋込型機器。
【発明の詳細な説明】
【技術分野】
【０００１】
本発明は、カバー取付面部に対してカバーが磁気吸引力により取り付けられるカバー取付構造及びそれを備えた天井埋込型機器に関する。
【背景技術】
【０００２】
上記のような磁気吸引力を利用した従来のカバー取付構造として、スピーカユニットの前面に形成されたカバー取付面部としてのスピーカ配置部に対してカバーとしてのスピーカグリルが取り付けられるスピーカ装置や、照明装置の前面に形成された照明配置部に対してカバーとしての透光カバーが取り付けられる照明装置などに採用されたものがある（例えば特許文献１〜３を参照。）。
そして、これらの従来のカバー取付構造は、カバーを上記磁気吸着力に抗してカバー取付面部から離間方向に引き剥がすことで、カバーをカバー取付面部から取り外すように構成されている。
【０００３】
即ち、特許文献１に記載のスピーカ装置のカバー取付構造では、当該文献の図１及び図２等に示されているとおり、機器本体のスピーカ配置部（２）に設けられた凸部（５）が、スピーカグリル（４）に設けられた凹部（６）に内挿されることで、スピーカ配置部（２）の面内方向に沿ったスピーカグリル（４）の移動が阻止された状態となる。この状態で、凹部（６）の底側に設けられた磁石部（７）とそれに対向する磁性体からなる凸部（５）との間に磁気吸引力が発生することにより、スピーカグリル（４）がスピーカ配置部（２）に固定されることになる。したがって、この従来のカバー取付構造において、スピーカ配置部（２）からスピーカグリル（４）を取り外す場合には、スピーカグリル（４）に設けられた凹部（６）からスピーカ配置部（２）の凸部（５）を引き抜くために、スピーカグリル（４）を上記磁気吸着力に抗してスピーカ配置部（２）から離間方向に引き剥がす必要がある。
【０００４】
また、特許文献２に記載のスピーカユニットのカバー取付構造では、当該文献の図１等に示されているとおり、スピーカグリル（１７）が円盤状に形成され、一方、スピーカ配置部に当該円盤状のスピーカグリル（１７）が内嵌する環状の被内嵌部（１８）が設けられている。更には、そのスピーカグリル（１７）自体が磁性体で構成されていると共に、被内嵌部（１８）自体が磁石で構成されている。そして、スピーカグリル（１７）の外周側縁部が被内嵌部（１８）に内嵌された状態で、磁石からなる被内嵌部（１８）とそれに対向するスピーカグリル（１７）の外周側縁部との間に磁気吸引力が発生することにより、スピーカグリル（１７）がスピーカ配置部に固定されることになる。したがって、この従来のカバー取付構造においても、スピーカ配置部からスピーカグリル（１７）を取り外す場合には、スピーカグリル（１７）を上記磁気吸着力に抗してスピーカ配置部から離間方向に引き剥がす必要がある。
【０００５】
また、特許文献３に記載の照明装置のカバー取付構造では、図２、図８Ａ及び図８Ｂ等に示されているとおり、矩形の透光カバー（４０）の外周側縁部に設けられた比較的長尺の磁石部（４３ａ，４３ｂ）と、矩形の照明配置部（２０）の外周縁に設けられた比較的長尺の磁石部（３１ａ，３１ｂ）との間で磁気吸引力が発生することにより、透光カバー（４０）が照明配置部（２０）に固定されることになる。更に、この磁気吸引力が維持された状態のまま、透光カバー（２０）が照明配置部（２０）の面内方向に沿ってスライドされることで、照明配置部（２０）側に設けられた突起部（３３）が透光カバー（４０）側に設けられた被係止部（４４）に係止され、このことで、照明配置部（２０）に対する透光カバー（４０）の意図しない脱落が防止されている。したがって、この従来のカバー取付構造においても、照明配置部（２０）から透光カバー（４０）を取り外す場合には、透光カバー（４０）を一旦照明配置部（２０）の面内方向に沿ってスライドさせて突起部（３３）の被係止部（４４）に対する係合を解除した上で、透光カバー（４０）を上記磁気吸着力に抗して照明配置部（２０）から離間方向に引き剥がす必要がある。
【先行技術文献】
【特許文献】
【０００６】
【特許文献１】特開２００６−０４１９９１号公報
【特許文献２】特開２００６−０６０７２６号公報
【特許文献３】特開２０１４−００７０１５号公報
【発明の概要】
【発明が解決しようとする課題】
【０００７】
上述したような磁気吸引力を利用した従来のカバー取付構造では、カバーをカバー取付面部から取り外すために、当該カバーを上記磁気吸着力に抗してカバー取付面部から離間方向に引き剥がす必要があるので、カバーを強固に固定するために強力な磁石を利用した場合等においては、カバーを引き剥がすために非常に大きな力が必要となる上に、その大きな引き剥がし力に耐え得る構造を採用するべく構造が煩雑化し製造コストが嵩むという問題が生じる。また、カバーをカバー取付面部から離間方向に大きな力で引き剥がすために、カバー取付面部に取り付けられたカバーに対し同離間方向に力を加えるための摘み部や指掛け部等を設けた場合には、美観を損ねるという問題が生じる。
【０００８】
この実情に鑑み、本発明の主たる課題は、カバー取付面部に対してカバーが磁気吸引力により取り付けられるカバー取付構造において、カバーをカバー取付面部から省力且つ容易に取り外すことができる技術を提供する点にある。
【課題を解決するための手段】
【０００９】
本発明の第１特徴構成は、カバー取付面部に対してカバーが磁気吸引力により取り付けられるカバー取付構造であって、
前記カバー取付面部が下向きの面部であり、
前記カバーが円盤状に形成されていると共に、前記カバー取付面部に当該円盤状のカバーが軸心周りで回転自在に内嵌する被内嵌部が設けられ、
前記カバーを、前記被内嵌部に内嵌された状態で、前記カバー取付面部の面内方向に沿って回転することで、前記磁気吸引力で前記カバー取付面部に取り付けられる取付用姿勢と、当該取付用姿勢よりも前記磁気吸引力が小さくなる取外用姿勢との間で、姿勢変更可能に構成され、
前記カバーと前記カバー取付面部との内、前記カバー取付面部側に磁石部が設けられていると共に、前記カバー側に前記取付用姿勢で前記磁石部に対向する磁性体部と前記取外用姿勢で前記磁石部と対向する非磁性体部とが設けられ、
前記磁石部は、前記カバー取付面部において前記カバーが当接する表面側とは反対側の裏面側となる上部側に固定され、
前記磁気吸引力が、前記カバー取付面部に添わせたカバーを前記取付用姿勢の近傍から前記取付用姿勢に移動させる強さに設定されている点にある。
【００１０】
本特徴構成を有するカバー取付構造によれば、カバーを上記取付用姿勢でカバー取付面部に添わせることで、カバーとカバー取付面部との間にカバーの固定に必要な磁気吸引力を発生させて、カバーをカバー取付面部に固定することができる。また、このように固定されたカバーをカバー取付面部から取り外す場合には、カバーをカバー取付面部の面内方向に沿って移動させて、カバーの姿勢を上記取付用姿勢から上記取外用姿勢に変更するという簡単な操作により、カバーを固定していた磁気吸引力を小さくすることができるので、省力且つ容易にカバーをカバー取付面部から取り外すことができる。
尚、本願において、磁気吸引力が小さくなるとは、磁気吸引力が弱くなっても残存している場合のみならず、磁気吸引力が解消（消滅）されている場合も含む。
【００１２】
本特徴構成を有するカバー取付構造によれば、カバーを上記取付用姿勢でカバー取付面部に添わせることで、一方側の磁石部が他方側の磁性体部に対向する位置に配置されるので、それらの間にカバーの固定に必要な磁気吸引力を発生させることができる。また、このように固定されたカバーをカバー取付面部から取り外す場合には、カバーの姿勢を上記取付用姿勢から上記取外用姿勢に変更することで、一方側の磁石部が他方側の磁性体部から乖離して非磁性体部に対向する位置に配置されるので、カバーを固定していた磁気吸引力を極めて小さく又は解消することになる。このことにより、カバーのカバー取付面部からの取り外しが一層省力且つ容易なものとなる。
【００１４】
本特徴構成を有するカバー取付構造によれば、カバー取付面部側に磁石部を設けると共に、カバー側に磁性体部及び非磁性体部を設けるにあたり、磁石部がカバー取付面部の裏面側に配置されているので、カバーが当接するカバー取付面部の表面側を凹凸のない平面状に形成することができる。このことで、カバー取付面部に当接したカバーを、姿勢変更のために、当該カバー取付面部の面内方向に沿って一層省力で且つスムーズに移動させることができる。
【００１６】
本特徴構成を有するカバー取付構造によれば、円盤状のカバーをカバー取付面部に設けられた被内嵌部に内嵌させてカバー取付面部に添わせた状態（本件においてこの状態を「嵌め込み状態」と呼ぶ。）において、カバーの位置を変更することなく当該カバーを軸心周りで回転させる形態で、カバーの姿勢を上記取付用姿勢と上記取外用姿勢との間で変更することができる。よって、カバー取付面部の被内嵌部とカバーの外周面との間の隙間において、カバーの姿勢変更のための隙間を余分に設ける必要がなくなる。このことで、円盤状のカバーが内嵌する被内嵌部を、当該カバーの外周面との間の隙間が均一且つできるだけ狭い円筒状に形成して、美観を向上することができる。
【００１８】
本特徴構成を有するカバー取付構造によれば、カバー取付面部が下向きの面部であるので、当該カバー取付面部に取り付けられたカバーの自重は、当該カバーをカバー取付面部から取り外す方向（鉛直下向き）に加わることになる。このことで、カバーの姿勢を上記取外用姿勢に変更してカバーを固定していた磁気吸引力が小さくなった際において、カバーのカバー取付面部からの取り外しが一層省力且つ容易なものとなる。更に、カバーの姿勢を取外用姿勢とした場合にカバーを固定していた磁気吸引力が極めて小さく又は解消されるように構成すれば、自重のみを利用してカバーをカバー取付面部から取り外すこともできる。
【００２０】
本特徴構成を有するカバー取付構造によれば、カバー取付面部に添わせたカバーの姿勢が取付用姿勢に対して若干ずれている場合であっても、上記適切に設定された磁気吸引力により自動的に、そのカバーの姿勢を正規の取付用姿勢に移動させることができる。即ち、カバーをカバー取付面部に固定させるにあたり、カバーをカバー取付面部に添わせてその面内方向に移動させる際に、カバーの姿勢が、取付用姿勢の近傍の姿勢になった時点で、上記適切に設定された磁気吸引力により自動的に取付用姿勢に変更されることになる。そして、このようなカバーの自動的な姿勢変更により、カバーの固定が完了したことを認識させることができる。また、カバー取付用面部に固定されたカバーの姿勢が、上記適切に設定された磁気吸引力により正規の取付用姿勢に移動されることから、カバーが正規の取付用姿勢に対してずれて固定されることを抑制することができるので、カバーのずれによる意図しない脱落や、カバーのずれによる美観の悪化を回避することができる。
尚、本願において、カバー取付面部に添わせたカバーを取付用姿勢近傍から取付用姿勢に移動させる磁気吸引力の強さとは、その取付用姿勢近傍のカバーについて、カバー取付用面部との間に働く磁気吸引力がカバー取付面部との間に働く摺動摩擦抵抗を上回ることにより自動的に、取付用姿勢に姿勢変更される程度の磁気吸引力の強さを示す。
【００２１】
本発明の第２特徴構成は、前記磁石部は、前記カバー取付面部の上部側に設けられたボス部に嵌め込まれて固定されている点にある。
本発明の第３特徴構成は、前記カバーは、円環状のリング部材と、そのリング部材の表面側の開口部を覆う保護用ネットとを備え、
前記保護用ネットは、その外周縁部が前記リング部材の裏面側端部に固定された状態で、前記  リング部材の外周面及び表面側全体を覆うように設けられている点にある。
本発明の第４特徴構成は、前記被内嵌部は、その直径が円盤状の前記カバーの直径よりも大きく形成されている点にある。
本発明の第５特徴構成は、天井面に埋め込まれる機器本体と、当該機器本体の下面に形成されたカバー取付面部と、当該カバー取付面部に取り付けられるカバーとを備え、前記カバー取付面部に対して前記カバーが磁気吸引力により取り付けられる天井埋込型機器であって、
前記カバー取付面部への前記カバーの取り付けに、上記第１乃至第４特徴構成の何れかを有するカバー取付構造が用いられている点にある。
【００２２】
本特徴構成を有する天井埋込型機器によれば、上述した何れかの特徴構成を有するカバー取付構造を採用して、カバー取付面部に対してカバーが磁気吸引力により取り付けられているので、上述した何れかの特徴構成を有するカバー取付構造と同様に、容易且つ省力でカバーをカバー取付面部から取り外すことができる。更に、かかる天井埋込型機器では、カバー取付面部が鉛直下向きの面部であることから、上述した第１特徴構成を有するカバー取付構造と同様に、カバーの自重を利用して、カバーのカバー取付面部からの取り外しを一層容易且つ省力なものとすることができる。特に、機器本体が天井面に埋め込まれる天井面埋込型機器に本発明に係るカバー取付構造を採用することで、従来のように比較的高所の天井面に略面一に配置されたカバー取付面部からカバーを下向きに引き剥がすというような無理な体勢を取るような操作は必要とせず、カバーに手指を添えてカバー取付面部の面内方向に沿って移動させて取外用姿勢とした後にその手指を下げるというような非常に簡単で省力な操作により、カバーをカバー取付面部から取り外すことができる。
【図面の簡単な説明】
【００２３】
【図１】実施形態のスピーカユニットの側断面図
【図２】実施形態のスピーカユニットの部分断面斜視図
【図３】実施形態のスピーカユニットにおいて、ピーカ配置部に対してスピーカグリルを嵌め込んだ状態（ａ）とスピーカ配置部からスピーカグリルを取り外した状態（ｂ）とを示す斜視図
【図４】実施形態のスピーカグリルの平面図
【図５】実施形態のリング部材の底面図
【図６】実施形態のスピーカユニットにおいて、スピーカ配置部に対するスピーカグリルの取付用姿勢（ａ）と取外用姿勢（ｂ）とを示す平面図
【発明を実施するための形態】
【００２４】
本発明の実施形態について図面に基づいて説明する。
図１及び図２に示すように、本実施形態に係るスピーカユニット１は、天井面５０に埋め込まれる機器本体２と、当該機器本体２の下面に形成されたカバー取付面部Ａと、当該カバー取付面部Ａに取り付けられるカバーＢとを備えた天井埋込型機器として構成されている。
【００２５】
具体的に、スピーカユニット１には、上記カバー取付面部Ａとして、スピーカ３が配置された円形のスピーカ配置部２ａが設けられており、一方、上記カバーＢとして、スピーカ配置部２ａの防塵等の保護用の円盤状のスピーカグリル２０が設けられている。そして、スピーカグリル２０は、スピーカ配置部２ａの表面側（図１及び図２において下側）の面に当接し、当該スピーカ配置部２ａの表面側を覆う状態で、スピーカ配置部２ａに取り付けられる。
【００２６】
このスピーカユニット１では、スピーカ配置部２ａへのスピーカグリル２０の取り付けに、当該スピーカ配置部２ａに対してスピーカグリル２０が磁気吸引力により取り付けられるカバー取付構造が用いられている。更に、このカバー取付構造は、詳細については後述するが、スピーカグリル２０をスピーカ配置部２ａの面内方向に沿って移動させるという簡単な操作により、磁気吸引力でスピーカ配置部２ａに取り付けられる取付用姿勢（図６（ａ）参照）と、当該取付用姿勢よりも磁気吸引力が小さくなる取外用姿勢（図６（ｂ）参照）との間で、姿勢変更可能に構成されている。そして、このようなカバー取付構造を適用することで、取外用姿勢とされたスピーカグリル２０をスピーカ配置部２ａから省力且つ容易に取り外すことができる。
以下、機器本体２及びスピーカグリル２０の夫々の基本構成と、これらを備えるスピーカユニット１に適用されたカバー取付構造の詳細構成について、順に説明する。
【００２７】
〔機器本体２〕
機器本体２は、図１に示すように、円筒状の側筒部２ｄを天井面５０に形成された円形開口に挿入させて、当該側筒部２ｄの下端から外方に広がるフランジ部２ｃの上面を天井面５０に当接させた埋込状態で、居室や浴室等の室内の天井面５０に設置される。更に、この機器本体２の内部には、端子部６を介して給電され、外部の音源機器（図示省略）との間で通信を行う制御回路部５が設けられており、この制御回路部５が、所定の処理プログラムを実行して、後述するスピーカ配置部２ａに設けられたスピーカ３へ音声出力用の信号を出力することで、スピーカ３から室内へ音楽などの音声が出力される。
【００２８】
図１及び図３（ｂ）に示すように、側筒部２ｄの内面の下端部より少し上方に引退した位置には、天井面５０に沿った円形のスピーカ配置部２ａが設けられており、このスピーカ配置部２ａには、音声を出力するスピーカ３、スピーカ３背後の音を利用して低音を増強するためのスピーカポート４、後述する制御回路部５のリセット（再起動）用の操作ボタン７などが配置されている。そして、このスピーカ配置部２ａがカバー取付面部Ａとされて、後述するカバーＢとしてのスピーカグリル２０が着脱自在に取り付けられる。
【００２９】
スピーカ配置部２ａには、円盤状のスピーカグリル２０が軸心周りに回転自在に内嵌する円筒状の被内嵌部２ｂが形成されている。具体的に、この被内嵌部２ｂは、その直径が円盤状のスピーカグリル２０の直径よりも僅かに大きめに形成されており、更に、その深さ（高さ）がスピーカグリル２０の高さと略同じとされている。したがって、スピーカグリル２０を被内嵌部２ｂに内嵌させてスピーカ配置部２ａに添わせた嵌め込み状態（図３（ａ）参照）では、スピーカグリル２０の周囲に形成される隙間が均一且つ僅かなものとなり、更に、スピーカグリル２０の下面とフランジ部２ｃの下面とが略面一となって、美観が優れたものとなる。
【００３０】
〔スピーカグリル２０〕
スピーカグリル２０は、図１及び図３（ａ）に示すように、機器本体２のスピーカ配置部２ａに取り付けられて当該スピーカ配置部２ａの表面側を覆って防塵等の保護を行うためのカバーＢとして構成されており、当該スピーカ配置部２ａに形成された円筒状の被内嵌部２ｂに対して内嵌する円盤状に形成されている。
【００３１】
スピーカグリル２０は、図２、図４に示すように、円環状でプラスチック製のリング部材２１と、そのリング部材２１の表面側（図１及び図２において下側、図４において奥側）の開口部を覆う保護用ネット２２とを備えて構成されている。
【００３２】
スピーカグリル２０のリング部材２１は、スピーカグリル２０の外周側面を形成する円筒状の外周筒部２１ｂと、その外周筒部２１ｂの内周面に沿って等間隔で４箇所に配置されて当該外周筒部２１ｂと同じ高さのボス部２１ｃと、それらボス部２１ｃの表面側を連接する平板円環状のリング部２１ａとで構成されている。
【００３３】
一方、保護用ネット２２は、その外周縁部が外周筒部２１ｂの裏面側端部（スピーカ配置部２ａに当接する側の端部）に接着固定された状態で、リング部２１ａの外周面及び表面側全体を覆うように敷設されている。これにより、機器本体２の被内嵌部２ｂに内嵌させた嵌め込み状態（図３（ａ）参照）では、保護用ネット２２のみが機器本体２側に当接することになり、リング部材２１や後述する皿ネジ２３などの硬質の部材が当接することがないので、嵌め込み状態のスピーカグリル２０を軸心周りに回転させた場合において、低い摺動抵抗でスムーズな回転が実現されると共に、摺擦による磨耗や損傷が防止される。
【００３４】
更に、図２及び図５に示すように、リング部材２１の表面側には、複数の凸部２１ｄが周方向に分散配置されている。これにより、嵌め込み状態（図３（ａ）参照）のスピーカグリル２０の表面に手指を押し当てて当該スピーカグリル２０を軸心周りに回転させるにあたり、押し当てた手指が上記凸部２１ｄに好適に引っ掛かるので、スピーカグリル２０の回転が容易に行える。尚、この凸部２１ｄの代わりに凹部（図示省略）を設けても構わず、また、これら凸部や凹部を組み合わせて配置することもできる。
【００３５】
〔カバー取付構造〕
本実施形態のスピーカユニット１では、図１に示すように、機器本体２のスピーカ配置部２ａ側に、磁石部Ｘが設けられており、一方、スピーカグリル２０側に、当該磁石部Ｘとの間でスピーカ配置部２ａへのスピーカグリル２０の固定に必要な磁気吸引力が発生する磁性体部Ｙ１と、当該磁石部Ｘとの間でこのような磁気吸引力が発生しない非磁性体部Ｙ２とが設けられている。
以下、機器本体２のスピーカ配置部２ａ側における磁石部Ｘの詳細な配置構成、並びに、スピーカグリル２０側の磁性体部Ｙ１及び非磁性体部Ｙ２の詳細な配置構成について説明する。
【００３６】
機器本体２のスピーカ配置部２ａには、図１，図２及び図３（ｂ）に示すように、上記磁石部Ｘとして、永久磁石１０が、スピーカ配置部２ａの外周側縁部に沿って等間隔で４箇所に配設されている。これら永久磁石１０は、スピーカ配置部２ａにおいてスピーカグリル２０が当接する表面側とは反対側の裏面側（図１において上部側）に配置されている。具体的に、永久磁石１０は、円柱状に形成されており、スピーカ配置部２ａの裏面側から上方に立設する円筒状のボス部１１に嵌め込まれて固定されている。
【００３７】
このように、磁石部Ｘとしての永久磁石１０がスピーカ配置部２ａの裏面側に配置されているので、嵌め込み状態のスピーカグリル２０が当接するスピーカ配置部２ａの表面側の外周縁部が、凹凸のない平面状に形成されている。このことで、嵌め込み状態のスピーカグリル２０を軸心周りに回転させた場合において、低い摺動抵抗でスムーズな回転が実現されている。また、この永久磁石１０としては、スピーカグリル２０の磁性体部Ｙ１との間で発生する磁気吸引力を強化させてスピーカグリル２０を強固に固定するために、磁束密度が高く非常に強い磁力を持つネオジム磁石が用いられている。
【００３８】
一方、スピーカグリル２０には、図２及び図４に示すように、上記磁性体部Ｙ１として、強磁性を有するステンレスや鉄等の強磁性体材料製の皿ネジ２３が、スピーカグリル２０の外周側縁部に沿って等間隔で４箇所に配設されている。これら皿ネジ２３は、リング部材２１のボス部２１ｃに裏面側から捩じ込まれた状態で固定されている。更に、スピーカグリル２０において、リング部材２１において上記皿ネジ２３が固定されたボス部２１ｃの表面側を連接する平板円環状のリング部２１ａが、非磁性体材料であるプラスチック製で構成されていることで、上記磁石部Ｘとの間で磁気吸引力が発生しない非磁性体部Ｙ２として機能することになる。
【００３９】
以上のように、スピーカ配置部２ａに磁石部Ｘを配置すると共に、スピーカグリル２０に磁性体部Ｙ１及び非磁性体部Ｙ２を配置することにより、図３（ａ）に示すように、スピーカグリル２０を機器本体２の被内嵌部２ｂに内嵌させた嵌め込み状態で軸心周りに回転させれば、当該スピーカグリル２０を、磁気吸引力でスピーカ配置部２ａに取り付けられる取付用姿勢（図６（ａ）参照）と、当該取付用姿勢よりも前記磁気吸引力が小さくなる取外用姿勢（図６（ｂ）参照）との間で、姿勢変更可能となる。
【００４０】
即ち、図６（ａ）に示すように、スピーカ配置部２ａに対するスピーカグリル２０の姿勢を取付用姿勢とすれば、スピーカグリル２０側の磁性体部Ｙ１がスピーカ配置部２ａ側の磁石部Ｘと対向する位置に配置されて、当該磁石部Ｘと当該磁性体部Ｙ１との間に適度の磁気吸引力が発生するので、その磁気吸引力によりスピーカグリル２０がスピーカ配置部２ａに固定される。
【００４１】
更に、スピーカ配置部２ａとそれに添わせたスピーカグリル２０との間に働く磁気吸引力が、スピーカ取付部２ａに添わせたスピーカグリル２０を上記取付用姿勢の近傍から上記取付用姿勢に移動させる強さに設定されている。よって、スピーカグリル２０をスピーカ配置部２ａに固定するにあたり、利用者がスピーカグリル２０に手指を添えて嵌め込み状態のスピーカグリル２０を軸心周りに回転させる際に、スピーカグリル２０の姿勢が、取付用姿勢となる直前の時点（上記取付用姿勢の近傍となる時点）で、上記適切に設定された磁気吸引力により自動的に、取付用姿勢に変更されることになる。よって、スピーカグリル２０に手指を添えていた利用者は、スピーカグリル２０が自動的に姿勢変更されたことを手指などを通じて感じることにより、スピーカグリル２０がスピーカ配置部２ａに固定されたことを認識することができる。また、スピーカ配置部２ａにおいて取付用姿勢の近傍にずれた姿勢で固定されたスピーカグリル２０は、上記適切に設定された磁気吸引力により、常に正規の取付用姿勢に移動されることになり、当該取付用姿勢からずれた状態のまま固定されることが抑制される。よって、被内嵌部２ｂとそれに対して嵌め込み状態で固定されたスピーカグリル２０との間の隙間は、常に周方向において均一なものとなり、美観が維持されることになる。
尚、上記のようなスピーカ２０とスピーカ配置部２ａとの間に発生する磁気吸引力の設定は、磁石部Ｘの磁力や大きさや配置箇所、磁性体部Ｙ１の材質や大きさや配置箇所、それらの相対配置関係、スピーカ配置部２ａとそれに添わせたスピーカグリル２０との間の摩擦抵抗などを調整することにより行うことができる。
【００４２】
一方、このように固定されたスピーカグリル２０を軸心周りに回転させることで、図６（ｂ）に示すように、スピーカグリル２０側の磁性体部Ｙ１がスピーカ配置部２ａ側の磁石部Ｘと乖離する位置に配置されると共に、スピーカグリル２０側の非磁性体部Ｙ２がスピーカ配置部２ａ側の磁石部Ｘと対向する位置に配置されて、上記取付用姿勢においてスピーカグリル２０を固定していた磁気吸引力が極めて小さく又は解消されるので、容易且つ省力でスピーカグリル２０をスピーカ配置部２ａから取り外すことができる。
【００４３】
更に、機器本体２が天井面５０に埋め込まれて、スピーカ配置部２ａが下向きの面部とされているので、スピーカ配置部２ａに取り付けられたスピーカグリル２０の自重は、当該スピーカグリル２０をスピーカ配置部２ａから取り外す方向（鉛直下向き）に加わることになる。そして、嵌め込み状態の上記スピーカグリル２０の姿勢を上記取外用姿勢に変更して、スピーカグリル２０を固定していた磁気吸引力が極めて小さく又は解消されると、図３（ｂ）に示すように、スピーカグリル２０を支持していた手指を下げるという非常に簡単且つ省力な操作により、スピーカグリル２０の自重を利用して、一層容易且つ省力でスピーカ配置部２ａから取り外すことができる。
【００４４】
〔別実施形態〕
（１）上記実施形態では、本発明に係るカバー取付構造を、天井埋込型機器として構成されたスピーカユニット１のスピーカ配置部２ａ（カバー取付面部Ａ）へのスピーカグリル２０（カバーＢ）の取り付けに適用した例を説明したが、天井埋込型機器やスピーカユニットに限ることなく、天井以外の壁に埋め込まれる又は独立して設置される機器や家具などにおけるカバー取付構造として適用することもできる。
例えば、本発明に係るカバー取り付け構造を、レンジフードなどの換気扇装置におけるカバー取付面部としての換気用ダクト口に対するフィルタパネル、ダクト口用グリル、整流板などのカバーの取り付けや、空調装置におけるカバー取付面部としての給気又は排気ダクト口に対するダクト用グリルなどのカバーの取り付けや、照明装置におけるカバー取付面部としての照明配置部に対する透光カバーなどのカバーの取り付け等に適用することができる。また、これら機器以外にも、電気機器における放熱カバーの取付構造などのように、各種機器のカバー取付構造としても採用することができる。
【００４５】
（２）上記実施形態では、カバー取付面部Ａ（スピーカ配置部２ａ）側に磁石部Ｘを設け、カバーＢ（スピーカグリル２０）側に磁性体部Ｙ１及び非磁性体部Ｙ２を設けたが、逆に、カバー取付面部Ａ側に磁性体部Ｙ１及び非磁性体部Ｙ２を設け、カバーＢ側に磁石部Ｘを設けても構わない。
【００４６】
（３）上記実施形態では、カバー取付面部Ａ（スピーカ配置部２ａ）及びカバーＢ（スピーカグリル２０）における磁石部Ｘ、磁性体部Ｙ１及び非磁性体部Ｙ２の具体的な配置により、カバー取付面部Ａに対するカバーＢの上記取付用姿勢と上記取外用姿勢との姿勢変更に伴う磁気吸引力の変化を実現したが、カバー取付面部Ａ及びカバーＢにおける磁石部Ｘ、磁性体部Ｙ１及び非磁性体部Ｙ２の配置については同磁気吸引力の変化を実現可能な範囲内で改変可能であり、また、別の方法でカバーＢの姿勢変更に伴う磁気吸引力の変化を実現するように構成しても構わない。
【００４７】
（４）上記実施形態では、カバー取付面部Ａ（スピーカ配置部２ａ）に対するカバーＢ（スピーカグリル２０）の姿勢を取外用姿勢とした際に、カバーＢを固定していた磁気吸引力が極めて小さく又は解消されるように構成したが、別に、取外用姿勢の際の磁気吸引力は、取付用姿勢の際の磁気吸引力よりも小さいものであればよく、このことで、カバーＢをカバー取付面部Ａから省力且つ容易に取り外すことができる。
【００４８】
（５）上記実施形態では、カバーＢを取付用姿勢と取外用姿勢との間で姿勢変更するために、カバーＢのカバー取付面部Ａの面内方向に沿って移動させるにあたり、円盤状のカバーＢ（スピーカグリル２０）をカバー取付面部Ａ（スピーカ配置部２ａ）に形成された円筒状の被内嵌部２ｂに内嵌させた状態で回転させるように構成したが、カバーＢをカバー取付面部Ａの面内方向に沿って側方にスライドさせるように構成しても構わない。
【符号の説明】
【００４９】
１        スピーカユニット（天井埋込型機器）
２        機器本体
２ａ      スピーカ配置部（カバー取付面部）
２ｂ      被内嵌部
１０      永久磁石（磁石部）
２０      スピーカグリル（カバー）
２１ａ    リング部（非磁性体部）
２３      皿ネジ（磁性体部）
５０      天井面
Ａ        カバー取付面部
Ｂ        カバー
Ｘ        磁石部
Ｙ１      磁性体部
Ｙ２      非磁性体部
【要約】
【課題】カバー取付面部に対してカバーが磁気吸引力により取り付けられるカバー取付構造において、カバーをカバー取付面部から省力且つ容易に取り外すことができる技術を提供する。
【解決手段】カバーＢを、カバー取付面部Ａの面内方向に沿って移動させることで、磁気吸引力でカバー取付面部に取り付けられる取付用姿勢と、当該取付用姿勢よりも磁気吸引力が小さくなる取外用姿勢との間で、姿勢変更可能に構成されている。
【選択図】図６【図１】
0005955999.tif 000002
【図２】
0005955999.tif 000003
【図３】
0005955999.tif 000004
【図４】
0005955999.tif 000005
【図５】
0005955999.tif 000006
【図６】
0005955999.tif 000007